【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
十分に堅い第一の構成部品と十分に堅い第二の構成部品とを有するフレームであって、前記第一及び第二の構成部品の各々は、別の対の周縁壁部材と一緒に、変動可能な容積の筐体の周縁境界と、ほぼ長方形領域とを形成する、一対の対向する長方形の周縁壁パネルを含む、フレームと、
前記フレームの前記第一及び第二の構成部品の前記周辺壁パネルと周縁壁部材との間に接続される可撓性材料から成る周縁連続ガセットと、
前記第一の構成部品の各壁パネルを、共平面関係にありかつ互いに向かって及び互いから離れて、前記第一及び第二の構成部品の直線移動用の、前記第二の構成部品の対応する壁パネルに連結するブリッジアセンブリとを具備し、
前記ブリッジアセンブリの各々は、
前記第一の構成部品の前記壁パネルに連結される収納部材であって、中に開口を区画形成する端部を有する収納部材と、
前記第二の構成部品の前記壁パネルに連結され、かつ前記収納部材により摺動自在に収納されるブリッジプレートであって、前記プレートは、少なくとも一部が弾性である第一及び第二の要素を有し、各弾性要素は前記第一及び第二の構成部品の互いに対する直線移動をほぼ固定するために、前記開口を区画形成する前記端部の少なくとも一部と係合可能に協働するよう構成されているブリッジプレートとを含む、拡張可能な旅行かばん類。
【請求項２】
前記少なくとも一部の弾性要素は舌部を具備する、請求項１に記載の拡張可能な旅行かばん類。
【請求項３】
前記舌部の少なくとも一部は、前記開口を含む前記収納部材の表面に向かって本質的に付勢される、請求項２に記載の拡張可能な旅行かばん類。
【請求項４】
前記第一の要素の前記舌部の付勢された最先端は、前記第二の構成部品から十分に離れた前記開口を区画形成する前記端部の部分に係合し、かつ前記第一の要素の十分に付勢されていない次の端部は、前記第一の要素の少なくとも一部を囲む前記ブリッジプレートの一部とほぼ同一平面にある、請求項２に記載の拡張可能な旅行かばん類。
【請求項５】
前記第二の要素の前記舌部の付勢された最先端は、前記第二の構成部品に十分に近接する前記開口を区画形成する前記端部の部分に係合し、かつ前記第二の要素の十分に付勢されていない次の端部は、前記第二の要素の少なくとも一部を囲む前記ブリッジプレートの一部とほぼ同一平面にある、請求項４に記載の拡張可能な旅行かばん類。
【請求項６】
前記第二の要素の前記舌部の付勢された最先端は、前記第二の構成部品に十分に近接する前記開口を区画形成する前記端部の部分に係合し、かつ前記第二の要素の十分に付勢されていない次の端部は、前記第二の要素の少なくとも一部を囲む前記ブリッジプレートの一部とほぼ同一平面にある、請求項２に記載の拡張可能な旅行かばん類。
【請求項７】
前記少なくとも一部の弾性要素は、前記開口を含む前記収納部材の表面に向かって本質的に付勢される、請求項１に記載の拡張可能な旅行かばん類。
【請求項８】
前記少なくとも一部の弾性要素を各ブリッジアセンブリに押圧することにより、前記第一の構成部品の前記壁パネルに対する前記ブリッジプレートのラッチ解除を可能にするように、前記ブリッジプレートは構成されている、請求項１に記載の拡張可能な旅行かばん類。
【請求項９】
前記少なくとも一部の弾性要素が前記開口と整合されるとき、前記少なくとも一部の弾性要素が、前記開口を区画形成する前記端部の少なくとも一部に係合するように、前記ブリッジプレートは構成されている、請求項１に記載の拡張可能な旅行かばん類。
【請求項１０】
前記少なくとも一部の弾性要素は、前記第二の構成部品が前記第一の構成部品から間隔を開けられて保持される少なくとも一つの位置に配置可能である、請求項９に記載の拡張可能な旅行かばん類。
【請求項１１】
前記ブリッジアセンブリは、さらに、前記第一及び第二の構成部品の互いからの直線移動を支援するバネを具備する、請求項１に記載の拡張可能な旅行かばん類。
【請求項１２】
前記収納部材は、第一及び第二の部材を具備し、前記第一の部材は前記ブリッジプレートの前面側と協働するようになっていて、前記第二の部材は前記ブリッジプレートの後面側と協働するようになっている、請求項１に記載の拡張可能な旅行かばん類。
【請求項１３】
前記収納部材は、さらに、前記第一及び第二の構成部品を互いに向かって移動するとき、前記ブリッジプレートの前記第一の要素をその中に停止させることができる、さらなる開口を具備する、請求項１に記載の拡張可能な旅行かばん類。
【請求項１４】
前記第一の構成部品は、主要なフレーム構成部品を具備する、請求項１に記載の拡張可能な旅行かばん類。
【請求項１５】
前記第一の構成部品は、二次的なフレーム構成部品を具備する、請求項１に記載の拡張可能な旅行かばん類。
【請求項１６】
拡張可能な旅行かばんのフレームから成る第一の構成部品の一対の対向する壁パネルを、共平面関係にありかつ互いに向かって及び互いから離れて前記第一及び第二の構成部品の直線移動用の、前記フレームの第二の構成部品から成る対応する一対の対向壁パネルに連結するブリッジアセンブリにおいて、
前記ブリッジアセンブリは、
前記第一の構成部品の前記壁パネルに連結される収納部材であって、中に開口を区画形成する端部を有する収納部材と、
前記第二の構成部品の前記壁パネルに連結されかつ前記収納部材により摺動自在に収納されるブリッジプレートであって、前記プレートは、少なくとも一部が弾性である第一及び第二の要素を有し、各弾性要素は、前記第一及び第二の構成部品の互いに対する直線移動をほぼ固定する前記開口を区画形成する前記端部の少なくとも一部と係合可能に協働するよう構成されているブリッジプレート、を具備する、ブリッジアセンブリ。
【請求項１７】
前記少なくとも一部の弾性要素は、舌部を具備する、請求項１６に記載のブリッジアセンブリ。
【請求項１８】
前記舌部の少なくとも一部は、前記開口を含む前記収納部材の表面に向かって固有に付勢される、請求項１７に記載のブリッジアセンブリ。
【請求項１９】
前記第一の要素の前記舌部の付勢された最先端は、前記第二の構成部品から十分に離れて前記開口を区画形成する前記端部の部分に係合し、前記第一の要素の十分に付勢されていない次の端部は、前記第一の要素の少なくとも一部を囲む前記ブリッジプレートの部分とほぼ同一平面にある、請求項１７に記載のブリッジアセンブリ。
【請求項２０】
第一の構成部品と第二の構成部品を有するフレームであって、その各々は、別の対の周縁壁部材と一緒に、変動可能な容積の筐体の周縁境界を形成する一対の対向する長方形の周縁壁パネルを含むフレームと、
前記フレームの前記第一及び第二の構成部品の前記周辺壁パネルと周縁壁部材との間に接続される可撓性材料から成る周縁連続ガセットと、
前記第一の構成部品の各壁パネルを、共平面関係にありかつ互いに向かって及び互いから離れて前記第一及び第二の構成部品の直線移動用の、前記第二の構成部品の対応する壁パネルに連結するブリッジアセンブリとを具備し、
前記ブリッジアセンブリの各々は、
前記第一の構成部品の前記壁パネルに連結される収納部材であって、中に開口を有する収納部材と、
前記第二の構成部品の前記壁パネルに連結されかつ前記収納部材により摺動自在に収納されるブリッジプレートであって、前記プレートは第一及び第二の要素を有し、各要素は前記第一及び第二の構成部品の互いに対する直線移動をほぼ固定する前記開口と係合可能に協働するよう構成されているブリッジプレートとを含む、拡張可能な旅行かばん類。